【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
高レートパケットデータコード分割多元接続無線通信システムの逆方向リンクに対する自動繰り返し要求の方法であって、
第１のパケットの第１のスロットセットをアクセス端末によってアクセスネットワークに送ることと、
第２のパケットの第１のスロットセットをアクセス端末によってアクセスネットワークに送ることと、
前記アクセスネットワークからの第１のパケットの第１のスロットセットの正しい又は正しくない解読に応じたアクノレッジメント（ＡＣＫ）又はネガティブなアクノレッジメント（ＮＡＫ）が前記アクセス端末によって受信されたのかを判定することと、
前記ＡＣＫが受信された時、前記アクセス端末によって第３のパケットの第１のスロットセットを送ることとを備える方法。
【請求項２】
請求項１に記載の方法において更に、
前記ＮＡＫが受信された時、前記アクセス端末によって、前記第１のパケットの第２のスロットセットを送ることを備える方法。
【請求項３】
請求項１に記載の方法において更に、
前記アクセスネットワークによって、前記第１のパケットの第１のスロットセットを受信することと、
前記アクセスネットワークによって、前記受信された第１のパケットの第１のスロットセットを解読するように試みることと、
前記アクセスネットワークによって、前記受信された第１のパケットの第１のスロットセットが正しく解読されたかを判定することと、
前記アクセスネットワークが前記受信された第１のパケットの第１のスロットセットを正しく解読した時、前記アクセスネットワークによって、前記ＡＣＫを前記アクセス端末に送ることとを備える方法。
【請求項４】
請求項３に記載の方法において更に、
前記アクセスネットワークが前記受信された第１のパケットの第１のスロットセットを正しく解読しなかったとき、前記アクセスネットワークによって、前記ＮＡＫを前記アクセス端末に送ることを備える方法。
【請求項５】
高レートパケットデータコード分割多元接続無線通信システムの逆方向リンクに対する自動繰り返し要求の方法であって、
アクセス端末によって、第１のパケットの第１のスロットセットをアクセスネットワークに送ることと、
前記アクセスネットワークからのアクノレッジメント（ＡＣＫ）又はネガティブなアクノレッジメント（ＮＡＫ）が前記アクセス端末によって受信されたかを前記アクセス端末によって判定することと、
前記ＮＡＫが受信された時、前記アクセス端末によって、前記第１のパケットの第２のスロットセットを送信することとを備える方法。
【請求項６】
請求項５に記載の方法において更に、
前記第１のパケットの第１のスロットセットを前記アクセスネットワークによって受信することと、
前記受信された第１のパケットの第１のスロットセットを前記アクセスネットワークによって解読するように試みることと、
前記受信された第１のパケットの第１のスロットセットが正しく解読されたかを前記アクセスネットワークによって判定することと、
前記アクセスネットワークが、前記受信された第１のパケットの第１のスロットセットを正しく解読しなかったとき、前記アクセスネットワークによって、前記ＮＡＫを前記アクセス端末に送ることとを備える方法。
【請求項７】
請求項６に記載の方法において更に、
前記アクセスネットワークが前記受信された第１のパケットの第１のスロットセットを正しく解読したとき、前記アクセスネットワークによって前記ＡＣＫを前記アクセス端末に送ることを備える方法。
【請求項８】
高レートパケットデータコード分割多元接続無線通信システムの逆方向リンクに対する自動繰り返し要求の方法であって、
アクセス端末からの第１のパケットの第１のスロットセットをアクセスネットワークによって受信することと、
前記受信された第１のパケットの第１のスロットセットの解読を前記アクセスネットワークによって試みることと、
前記受信された第１のパケットの第１のスロットセットが正しく解読されたかを前記アクセスネットワークによって判定することと、
前記アクセスネットワークが前記受信された第１のパケットの第１のスロットセットを正しく解読したとき、前記アクセスネットワークによってアクノレッジメント（ＡＣＫ）をアクセス端末に送ることとを備える方法。
【請求項９】
請求項８に記載の方法において更に、
前記アクセスネットワークが前記受信された第１のパケットの第１のスロットセットを正しく解読しなかったとき、前記アクセスネットワークによってネガティブなアクノレッジメント（ＮＡＫ）を前記アクセス端末に送ることを備える方法。
【請求項１０】
請求項９に記載の方法において更に、
前記アクセス端末からの前記第１のパケットの第２のスロットセットを前記アクセスネットワークによって受信することと、
前記受信された第１のパケットの第１のスロットセットと、前記受信された第１のパケットの第２のスロットセットとの組み合わせの解読を前記アクセスネットワークによって試みることとを備える方法。
【請求項１１】
請求項８に記載の方法において、前記ＡＣＫは、バイナリ位相シフトキーイング変調された順方向リンクＡＣＫチャネル上で前記アクセスネットワークによって送られ、前記ＡＣＫは、逆方向リンク電力制御チャネル上で送られた逆方向リンク電力制御ビットの位相に直交する位相で送られる方法。
【請求項１２】
高レートパケットデータコード分割多元接続無線通信システムの逆方向リンクに対する自動繰り返し要求の方法であって、
第１のパケットの第１のスロットセットをアクセス端末によってアクセスネットワークに送ることと、
前記第１のパケットの第１のスロットセットを前記アクセスネットワークによって受信することと、
前記受信された第１のパケットの第１のスロットセットの解読を前記アクセスネットワークによって試みることと、
前記受信された第１のパケットの第１のスロットセットが正しく解読されたかを前記アクセスネットワークによって判定することと、
前記アクセスネットワークが前記受信された第１のパケットの第１のスロットセットを正しく解読しなかった時には、前記アクセスネットワークによってネガティブなアクノレッジメント（ＮＡＫ）を前記アクセス端末に送り、前記アクセス端末が前記アクセスネットワークから前記ＮＡＫを受信したかを前記アクセス端末によって判定し、前記ＮＡＫが前記アクセス端末によって受信された時には、前記第１のパケットの第２のスロットセットを前記アクセス端末によって送り、前記アクセス端末からの前記第１のパケットの第２のスロットセットを前記アクセスネットワークによって受信し、前記受信された第１のパケットの第１のスロットセットと、前記受信された第１のパケットの第２のスロットセットとの組み合わせを解読するように前記アクセスネットワークによって試みることとを備える方法。
【請求項１３】
請求項１２に記載の方法において更に、
第２のパケットの第１のスロットセットを前記アクセス端末によって送ることを備え、
前記アクセスネットワークが前記受信された第１のパケットの第１のスロットセットを正しく解読した場合には、前記アクセスネットワークによってアクノレッジメント（ＡＣＫ）を前記アクセス端末に送り、前記アクセス端末が前記アクセスネットワークから前記ＡＣＫを受信したかを前記アクセス端末によって判定し、前記ＡＣＫが前記アクセス端末によって受信された場合には、第３のパケットの第１のスロットセットを前記アクセス端末によって送る方法。
【請求項１４】
請求項１２に記載の方法において、前記ＮＡＫは、バイナリ位相シフトキーイング変調された順方向リンクＡＣＫチャネル上で前記アクセスネットワークによって送られ、前記ＮＡＫは、逆方向電力リンク制御チャネル上で送られた逆方向リンク電力制御の位相に直交した位相で送られる方法。
【請求項１５】
高レートパケットデータコード分割多元接続無線通信システムのためのアクセス端末であって、前記アクセス端末は、
第１のパケットの第１のスロットセットを送り、第２のパケットの第１のスロットセットを送り、アクノレッジメント（ＡＣＫ）又はネガティブなアクノレッジメント（ＮＡＫ）を受信するように構成された無線周波数ユニットと、
前記ＡＣＫ又は前記ＮＡＫかの何れかが受信されたのかを判定するように構成されたロジック及び処理ユニットとを備え、
前記無線周波数ユニットは更に、前記ＡＣＫが受信された時には第３のパケットの第１のスロットセットを送り、前記ＮＡＫが受信された時には前記第１のパケットの第２のスロットセットを送るように構成されているアクセス端末。
【請求項１６】
高レートパケットデータコード分割多元接続無線通信システムのためのアクセスネットワークであって、前記アクセスネットワークは、
第１のパケットの第１のスロットセットを受信するように構成された無線周波数ユニットと、
前記受信された第１のパケットの第１のスロットセットを解読するように試み、前記受信された第１のパケットの第１のスロットセットが正しく解読されたかを判定するように構成されたロジック及び処理ユニットとを備え、
前記無線周波数ユニットは更に、前記ロジック及び処理ユニットが、前記受信された第１のパケットの第１のスロットセットを正しく解読した場合にアクノレッジメント（ＡＣＫ）を送り、前記ロジック及び処理ユニットが、前記受信された第１のパケットの第１のスロットセットを正しく解読しなかった場合にネガティブなアクノレッジメント（ＮＡＫ）を送るアクセスネットワーク。
【請求項１７】
請求項１６に記載のアクセスネットワークにおいて、
前記無線周波数ユニットは更に、前記第１のパケットの第２のスロットセットを受信するように構成され、
前記ロジック及び処理ユニットは更に、前記受信された第１のパケットのスロットセットと、前記受信された第１のパケットの第２のスロットセットとの組み合わせを解読するように試みるアクセスネットワーク。
【請求項１８】
請求項１６に記載のアクセスネットワークにおいて、
前記無線周波数ユニットは更に、バイナリ位相シフトキーイング変調された逆方向リンク電力制御チャネル上で逆方向リンク電力制御ビットを送り、バイナリ位相シフトキーイング変調された順方向リンクＡＣＫチャネル上で前記ＡＣＫ又は前記ＮＡＫを送り、前記ＡＣＫ又はＮＡＫは前記逆方向リンク電力制御チャネルの位相に直交する位相で送信されるアクセスネットワーク。
【請求項１９】
高レートパケットデータの逆方向リンクに対する自動繰り返し要求のためのコード分割多元接続（ＣＤＭＡ）無線通信システムであって、前記ＣＤＭＡ無線通信システムは、
アクセス端末とアクセスネットワークとを備え、
前記アクセス端末は、
第１のパケットの第１のスロットセットを送り、第２のパケットの第１のスロットセットを送り、アクノレッジメント（ＡＣＫ）又はネガティブなアクノレッジメント（ＮＡＫ）を受信するように構成された第１の無線周波数ユニットと、
ＡＣＫ又はＮＡＫが受信されたかを判定するために構成された第１のロジック及び処理ユニットとを備え、
前記第１の無線周波数ユニットは更に、前記ＡＣＫが受信された場合に第３のパケットの第１のスロットセットを送り、前記ＮＡＫが受信された場合に前記第１のパケットの第２のスロットセットを送り、
前記アクセスネットワークは、
前記受信された第１のパケットの第１のスロットセットを受信するように構成された第２の無線周波数ユニットと、
前記受信された第１のパケットの第１のスロットセットの解読を試み、前記受信された第１のパケットの第１のスロットセットが正しく解読されたかを判定するように構成された第２のロジック及び処理ユニットとを備え、
前記第２の無線周波数ユニットは更に、前記第２のロジック及び処理ユニットが、前記受信された第１のパケットの第１のスロットセットを正しく解読した場合に前記ＡＣＫを送り、前記第２のロジック及び処理ユニットが、前記受信された第１のパケットの第１のスロットセットを正しく解読しなかった場合に前記ＮＡＫを送るＣＤＭＡ無線通信システム。
【請求項２０】
請求項１９に記載のＣＤＭＡ無線通信システムにおいて、
前記第２の無線周波数ユニットは更に、前記第１のパケットの第２のスロットセットを受信するように構成され、
前記第２のロジック及び処理ユニットは更に、前記受信された第１のパケットの第１のスロットセットと、前記受信された第１のパケットの第２のスロットセットとの組み合わせの解読を試みるように構成されるＣＤＭＡ無線通信システム。
【請求項２１】
請求項１９に記載のＣＤＭＡ無線通信システムにおいて、
前記第２の無線周波数ユニットは更に、バイナリ位相シフトキーイング変調された順方向リンクＡＣＫチャネル上で前記ＡＣＫ又は前記ＮＡＫを送るように構成され、前記ＡＣＫ又は前記ＮＡＫは、逆方向リンク電力制御チャネルの位相に直交した位相で送られるＣＤＭＡ無線通信システム。
【請求項２２】
高レートパケットデータコード分割多元接続無線通信システムの逆方向リンクに対する自動繰り返し要求の装置であって、
第１のパケットの第１のスロットセットをアクセス端末によってアクセスネットワークに送る手段と、
第２のパケットの第１のスロットセットをアクセス端末によってアクセスネットワークに送る手段と、
前記アクセスネットワークからの第１のパケットの第１のスロットセットの正しい又は正しくない解読にそれぞれに対応したアクノレッジメント（ＡＣＫ）又はネガティブなアクノレッジメント（ＮＡＫ）が前記アクセス端末によって受信されたのかを判定する手段と、
前記ＡＣＫが受信された時、前記アクセス端末によって第３のパケットの第１のスロットセットを送る手段とを備える装置。
【請求項２３】
高レートパケットデータコード分割多元接続無線通信システムの逆方向リンクに対する自動繰り返し要求の装置であって、
第１のパケットの第１のスロットセットをアクセス端末によってアクセスネットワークに送る手段と、
前記アクセスネットワークからのアクノレッジメント（ＡＣＫ）又はネガティブなアクノレッジメント（ＮＡＫ）が前記アクセス端末によって受信されたのかを前記アクセス端末によって判定する手段と、
前記ＮＡＫが受信された時、前記アクセス端末によって前記第１のパケットの第２のスロットセットを送る手段とを備える装置。
【請求項２４】
高レートパケットデータコード分割多元接続無線通信システムの逆方向リンクに対する自動繰り返し要求の装置であって、
アクセス端末から第１のパケットの第１のスロットセットをアクセスネットワークによって受信する手段と、
前記受信された第１のパケットの第１のスロットセットを前記アクセスネットワークによって解読するように試みる手段と、
前記受信された第１のパケットの第１のスロットセットが正しく解読されたかを前記アクセスネットワークによって判定する手段と、
前記アクセスネットワークが、前記受信された第１のパケットの第１のスロットセットを正しく解読したとき、前記アクセスネットワークによって、アクノレッジメントをアクセス端末に送る手段とを備える装置。
【請求項２５】
高レートパケットデータコード分割多元接続無線通信システムの逆方向リンクに対する自動繰り返し要求の装置であって、
第１のパケットの第１のスロットセットをアクセス端末によってアクセスネットワークに送る手段と、
前記第１のパケットの第１のスロットセットを前記アクセスネットワークによって受信する手段と、
前記受信された第１のパケットの第１のスロットセットの解読を前記アクセスネットワークによって試みる手段と、
前記受信された第１のパケットの第１のスロットセットが正しく解読されたかを前記アクセスネットワークによって判定する手段と、
前記アクセスネットワークが前記受信された第１のパケットの第１のスロットセットを正しく解読しなかった時のための手段とを備え、この手段は、
前記アクセスネットワークによってネガティブなアクノレッジメント（ＮＡＫ）を前記アクセス端末に送る手段と、
前記アクセス端末が前記アクセスネットワークから前記ＮＡＫを受信したかを前記アクセス端末によって判定する手段と、
前記ＮＡＫが前記アクセス端末によって受信された時のための手段とを備え、この手段は、
前記第１のパケットの第２のスロットセットを前記アクセス端末によって送る手段と、
前記アクセス端末からの前記第１のパケットの第２のスロットセットを前記アクセスネットワークによって受信する手段と、
前記受信された第１のパケットの第１のスロットセットと、前記受信された第１のパケットの第２のスロットセットとの組み合わせを解読するように前記アクセスネットワークによって試みる手段とを備える装置。
【請求項２６】
請求項１乃至１４のうち何れか１項に記載の方法を実行するための命令を備えたコンピュータプログラム製品。
【手続補正２】
【補正対象書類名】明細書
【補正対象項目名】０００８
【補正方法】変更
【補正の内容】
【０００８】
"TIA/EIA/IS-95 Mobile Station-Base Station Compatibility Standard for Dual- Mode Wideband Spread Spectrum Cellular System"（ＩＳ−９５）に対応したコード分割多元接続（ＣＤＭＡ）システムでは、データパケットは、ＦＬ上で再送信されることが可能である。ＦＬ送信のための技術は、"Method and Apparatus for High Rate Packet Data Transmission"と題された米国特許出願番号０８／９６３，３８６号、すなわち２００３年６月２日に発行された米国特許第６，５７４，２１１号に記載されている。例えば、データパケットは、予め定めた数のデータユニットからなる。ここで、各データユニットは、連続番号によって識別される。移動局によって１つ又は複数のデータユニットの正しくない受信があると、この移動局は、ＲＬ  ＡＣＫチャネル上で、ネガティブなアクノレッジメント（ＮＡＣＫ）を送ることができる。これによって、基地局からの再送信のために、喪失されたデータユニットの連続番号を示す。基地局は、このＮＡＣＫメッセージを受信し、誤って受信されたデータユニットを再送信することができる。
【手続補正３】
【補正対象書類名】明細書
【補正対象項目名】００２２
【補正方法】変更
【補正の内容】
【００２２】
この例では、ＡＣＫ１２６がＡＮによって送られ、パケットｎの第１のスロットセット１１４が正しく解読されたことを示している。ＡＴはＡＣＫを受信する。これは、パケットｎ＋２の第１のスロットセット１１０がＡＴによって送ることができることを示している。ＡＮは、パケットｎ＋２の第１のスロットセット１１８を受信する。
【手続補正４】
【補正対象書類名】図面
【補正対象項目名】図１
【補正方法】変更
【補正の内容】
【図１】
2006504337.tif 000001